Podtech/llm-jp-corpus-v4-ja_patent huggingface dataset:
(57)【要約】      （修正有）【課題】殺菌灯及び高温に熱したセラミック管に逆風機を使用して空気を送り込み、空気中の雑菌や微細なゴミを焼却することで清浄な空気を得る空気清掃機を提供する。【解決手段】内径５ｃｍの角型のセラミック管Ｂを作りその中にニクロム線Ａをいれる。その外側には数層ないし十数層の金属網群Ｆをセラミック管Ｂと直角の方向に設置する。さらに、１５ｃｍ×１５ｃｍの角型の大きなセラミック管Ｃの中央部にそれをいれる。前記の大きなセラミック管Ｃの入口には送風機Ｅ、その入口の近くの部には殺菌灯Ｄを設置する。そして電源を入れると、空気は大きなセラミック管Ｃの中に入り、殺菌灯の下を通って中央部に達する。空気中に含まれる微細なゴミ、細菌、カビの菌糸、胞子、ＭＲＳＡ菌は、高温度となった小さなセラミック管やこれに接して高温となった金属網群に接触し、焼却され消滅する。かくてきれいな空気が得られ部屋は清浄化される。【選択図】図３
0003156472.tif 000002
【実用新案登録請求の範囲】
【請求項１】
入口には送風機を持ち、また入口付近の部分には殺菌灯を持つ大きなセラミック管の中央部分には、内側にニクロム線、外側に金属網群を備えた小さなセラミック管を持つ構造の空気清掃機。
【考案の詳細な説明】
【考案の利用分野】
【０００１】    環境衛生に関するものである。
【背景技術】
【０００２】    ひとはみなきれいな空気のところですんでみたいという願望があるものである。そこで汚れた空気をはき清め、きれいな空気に変える努力がいろいろと試みられてきたのである。まず材料はいろいろの植物、金属、動物性のもの、ビニールその他の化学薬品等等である。これらを使って細い隙間を無数につくる。その隙間を通る汚れた空気は吸着、濾過されてきれいな空気に変わって行くのである。その他近頃はイオンを使って空気をきれいにする空気清浄機もできている。また我々が以前に考案した空気清掃機もあるが、これは管の中に電気ヒーターを入れその中に空気を送り込むものであるが、これは火の用心も悪く効果もいま一つよくないので、このたびそれを改良して新たな考案をくわえたのである。
【本案が解決しょうとする課題】
【０００３】    空気は一見どこでもきれいに見えるものであるが、空気の中には目に見えない微細な菌や埃等々のものが驚くほど含まれている。雨の上がった庭の空気は本当にさっぱりしているが、雨と一緒にたくさんのごみや細菌等が洗い流されたためである。そのような空気になるように、汚れの多い人ごみの中の空気を是正しようという手段を模索し工夫がなされて来たのである。
【課題を解決しようとする手段】
【０００４】    まず小さなセラミック管の内側にニクロム線を入れ管を高温度にする手立てをつくる。そしてそのセラミック管の周りには数枚から十数枚の金属製の網群をはる。このようにした小さなセラミック管を別に用意をした大きなセラミック管の中央部に設置するのである。また大きなセラミック管の入口には送風機、入口に近い部分には殺菌灯を設置するのである。
【０００５】    そこで此の装置に電源をいれると、送風機は大きな管に空気をおくりこむ。その空気はまず殺菌灯の下を通ってある程度殺菌されさらにその空気は中央部に進み、高温度を示す小さなセラミック管およびその管に接続している金属網群と接触する。そして空気に含まれた微細なゴミ、細菌、カビの菌糸、胞子、ならびに厄介なＭＲＳＡ菌もこの高温のセラミック管や金属網群に触れて焼却されるのである。そして空気は微細なゴミ、細菌、カビの菌糸、胞子、ＭＲＳＡ菌等を含まないきれいな空気となって大きなセラミック管の外へ出るのである。
【実施例】
【０００６】    内径５ｃｍの角型のセラミック管を作りその中にニクロム線をいれる。その外側には数層ないし十数層の金属網群をセラミック管と直角の方向に設置する。そして別に用意した１５ｃｍ×１５ｃｍの角型の大きなセラミック管の中央部にそれをいれるのである。そしてその大きなセラミック管の入口には送風機、そしてその入口の近くの部には殺菌灯を設置する。【０００７】    そして電源を入れると、空気は大きなセラミック管の中に入り、殺菌灯の下を通って中央部に達する。そして高温度となった小さなセラミック管やこれに接して高温となった金属網群に接触し空気中に含まれる微細なゴミ、細菌、カビの菌糸、胞子、ＭＲＳＡ菌は焼却され消滅するのである。かくてきれいな空気が得られ部屋は清浄化されるのである。
【考案の効果】
【０００８】  本考案の空気清掃機を使用すると空気中に含まれた微細なゴミ、細菌、カビの菌糸、胞子、ＭＲＳＡ菌等は焼却され部屋の空気を清浄化する事が出来るのである。また近頃問題のビールスに対してもある程度の効果があるだろうと期待されている。そして構造簡単、製作容易、安価である。
【図面の簡単な説明】
【０００９】
【図１】    斜位図
【図２】    正面図
【図３】    側面図
【図４】    水平面図
【記号の説明】
Ａ．．．ヒーター
Ｂ．．．小さなセラミック管
Ｃ．．．大きなセラミック管
Ｄ．．．殺菌灯
Ｅ．．．送風機
Ｆ．．．金網
Ｇ．．．煙突
Ｈ．．．台車
Ｉ．．．耐火煉瓦
【図１】
0003156472.tif 000003
【図２】
0003156472.tif 000004
【図３】
0003156472.tif 000005
【図４】
0003156472.tif 000006
(57)【要約】      （修正有）【課題】電子オーブン・レンジでの調理を可とすべく、耐熱性の高いシリコンゴムを使い、シリコンゴム特有の臭いを発することのない食品容器を提供する。【解決手段】上蓋と容器本体の両方の材質を熱耐性が摂氏約３００度を有するシリコンゴムで組成し、上蓋と容器本体が接する部分を密着性の高い丸型の形状とした。更に、形成した容器を再加熱することで、シリコンゴム特有の臭いを発散させ、無臭化した。【選択図】図１
0003156478.tif 000002
【実用新案登録請求の範囲】
【請求項１】
上蓋と容器本体の両方の材質をシリコンゴムで組成し、上蓋と容器本体が接する部分を丸型の形状としたことを特徴とする食品容器
【請求項２】
請求項１に係る食品容器であって、摂氏約２００度で、約４時間の間、再加熱することにより、無臭化されたことを特徴とする食器容器
【考案の詳細な説明】
【技術分野】
【０００１】本考案は、耐熱性を有する食品容器を用途とする、シリコンゴムから組成した什器の製造にかかる技術分野に属する。
【背景技術】
【０００２】従来、耐熱性を有す食品容器の材質は、上蓋がポリエチレンで組成され、容器本体は、ポリプロピレンにて組成されることにより、その耐熱温度は、当該上蓋が摂氏約８０度、当該容器本体は、摂氏約１４０度までにしか熱耐性がなく、電子オーブン・レンジで食品を調理する容器としては使用に難点があった。また、上蓋と容器本体の材質が異なることで、上蓋の耐久性が乏しいため、上蓋が容易に空いてしまうという欠点があった。本考案は、これらの欠点のない食品容器に供することを目的とする。
【考案の概要】
【考案が解決しようとする課題】
【０００４】従来、耐熱性を有す食品容器の材質は、上蓋がポリエチレンで組成され、容器本体は、ポリプロピレンにて組成されることにより、その耐熱温度は、当該上蓋が摂氏約８０度、当該容器本体は、摂氏約１４０度までにしか熱耐性がなく、電子オーブン・レンジで食品を調理する容器としては使用に難点があった。また、上蓋と容器本体の材質が異なることで、上蓋と本体の密着性が乏しく、上蓋の耐久性も乏しいので、上蓋が容易に空いてしまうという欠点があった。シリコンゴムは、それらの課題を解決できる素材であったが、特有の臭いを有し、食品用には適さない材料とされていた。
【課題を解決するための手段】
【０００５】上蓋と容器本体の両方の材質を熱耐性が摂氏約３００度を有するシリコンゴムで組成し、上蓋と容器本体が接する部分を丸型の形状とした。更に、形成した容器を、摂氏約２００度で約４時間の間、再加熱することで、シリコンゴム特有の臭いを発散させ、無臭化した。
【考案の効果】
【０００６】上蓋と容器本体の両方の材質を熱耐性が摂氏約３００度を有するシリコンゴムで組成し、上蓋と容器本体が接する部分を丸型の形状とし密着性を高めたことにより、電子オーブン・レンジでも食品の調理に用することができるとともに、容器を大きく傾けても、食品の重量により上蓋が外れないので、食品が零れおちない利点がある。また、シリコンゴムによる材質のため、容器に程よい柔軟性も有すことができる。
【図面の簡単な説明】
【０００７】
【図１】本考案による食品容器の断面を表した概念図である。
【図２】本考案による食品容器の上面を表したものである。
【図３】本考案の実施例となる容器の図面である。
【図１】
0003156478.tif 000003
【図２】
0003156478.tif 000004
【図３】
0003156478.tif 000005
(57)【要約】      （修正有）【課題】排気ブレーキが作動中であることを、後続車両に的確に報知する排気ブレーキ作動表示装置を提供する。【解決手段】表面パネルにＬＥＤランプ表示窓があり、表示窓裏側にＬＥＤランプを配置し、電気配線を通じ、自己車両よりの排気ブレーキ作動信号を受けて、ＬＥＤランプを点灯、文字を表示する。【選択図】図１
0003156479.tif 000002
【実用新案登録請求の範囲】
【請求項１】
パネル表面に、文字にそった窓を設け、その窓裏側同位置に、ＬＥＤランプを配置した構造を持ち、自己車両の排気ブレーキ作動信号を受け、ＬＥＤランプを点灯、文字を表示することにより、排気ブレーキの作動中であることを後続車両へ、的確に報知することを特徴とする排気ブレーキ作動表示装置。
【請求項２】
前記パネルは箱状の形状を持ち、防水パネル、パッキン等により防水対策が施され自己車両の排気ブレーキが作動中のみ点灯、文字を表示することを特徴とする請求項１記載の排気ブレーキ作動表示装置。
【考案の詳細な説明】
【技術分野】
【０００１】  本考案は、文字表示による、排気ブレーキ作動表示装置に関するものである。
【背景技術】
【０００２】  排気ブレーキ作動を、後続車両に示す装置は皆無に等しかったが、近年一部の車両に、排気ブレーキ作動中、ブレーキランプを点灯させる装置を備えた車両がある。
【考案の開示】
【考案が解決しようとする課題】
【０００３】  しかしながら、ブレーキランプのみの点灯では、本来のブレーキ操作による点灯なのか、排気ブレーキ作動による点灯であるのか、後続車両には区別のつけようがない。
【課題を解決するための手段】
【０００４】  そこで、本考案は、以上の課題を解決すべく、排気ブレーキ作動中のみ、視認効果が大である文字を表示する事により、後続車両に動作状態を示す、排気ブレーキ作動表示装置を提供することを目的とした。
【考案の効果】
【０００５】  本考案の、排気ブレーキ作動表示装置を作動させることにより後続車両への、的確な動作状態を表示することができ、後続車両は種種の対策を取ることができる。また追突防止など交通安全対策の向上が期待できる。
【考案を実施するための最良の形態】
【０００６】  本考案の実施形態について図面を参照して説明する。図１は、本考案に係る排気ブレーキ作動表示装置の平面図を示す。図１において、０１は本考案の装置一式を収める筐体で表面パネルにＬＥＤランプ表示用の窓がある。【０００７】  図２は、図１の断面図を示す。図２において、０２は防水パネル、０３は表面パネルであり、その表面パネル窓の裏側に、０４ＬＥＤランプがある。ＬＥＤランプは、０５のプリント基板に付けられ、０６のネジにて０１の筐体内に固定される。図示しないが０５のプリント基板には、ダイオード、抵抗等の電子部品が電気的に接続されている。０７は防水用パッキン、０８は裏カバーである。【０００８】  図３は、本考案の排気ブレーキ作動表示装置を車両に実装した図である。ＬＥＤランプの色は、橙、緑、黄、青など各色あるが、指示伝達を喚起するには赤色が好ましい。
【実施例】
【０００９】  以下に、本考案に係る排気ブレーキ作動表示装置の実装、実験例を説明する。図３参照、０９は車両、実装車であり、車両が走行中、排気ブレーキを作動させたところを図に示したものである。排気ブレーキ作動表示装置のＬＥＤランプが点灯、排気ブレーキと文字が点灯表示される、この表示によって、後続車両は、前車、実装車の走行状態を認識することが可能となり、安全な運転を続けることができる。
【産業上の利用可能性】
【００１０】  本考案の排気ブレーキ作動表示装置は、文字による表示を特徴としている。よって他の信号、指示、表示にも活用が可能である。
【図面の簡単な説明】
【００１１】
【図１】本考案に係る排気ブレーキ作動表示装置の平面図である。
【図２】本考案に係る排気ブレーキ作動表示装置、図１の断面図である。
【図３】本考案に係る排気ブレーキ作動表示装置の装着使用図である。
【符号の説明】
【００１２】０１  筐体
０２  防水パネル
０３  表面パネル
０４  ＬＥＤランプ
０５  プリント基板
０６  取り付けネジ
０７  防水パッキン
０８  裏カバー
０９  車両
【図１】
0003156479.tif 000003
【図２】
0003156479.tif 000004
【図３】
0003156479.tif 000005
(57)【要約】【課題】靴底は、親指側の側部が足の甲を覆う本体よりも内側に位置し、アクセルペダルとブレーキペダルの踏み分け操作が迅速に行える自動車運転用靴を提供する。【解決手段】靴底４の上面に足の甲を覆う本体３を接合した構造を有する自動車運転用靴１において、靴底４は、前部から踵までの間の親指側の側部１０において、親指から所定長さが本体３よりも内側に位置し、下部に向かって内側に傾斜する傾斜面１０ａが形成されている。【選択図】図１
0003156490.tif 000002
【実用新案登録請求の範囲】
【請求項１】
靴底の上面に足の甲を覆う本体を接合した構造を有する靴において、
前記靴底は、前部から踵までの間の親指側の側部において、親指から所定長さが本体よりも内側に位置し、下部に向かって内側に傾斜する傾斜面が形成されていることを特徴とする自動車運転用靴。
【考案の詳細な説明】
【技術分野】
【０００１】
本考案は、自動車の運転に適した自動車運転用靴に関するものである。
【背景技術】
【０００２】
自動車は、アクセルペダルやブレーキペダルが運転者の足元の位置に取り付けられていて、アクセルペダルとブレーキペダルを一方の足で操作するようになっている。運転者は、足を常にアクセルペダルかブレーキペダルの上に位置させており、自動車を走行させている間殆んどアクセルペダルを操作し続け、途中で減速させたり、停車したりする時にブレーキペダルに足を踏み換えて操作している。ところが走行中に靴の一部がペダルに引っかかって、アクセルペダルとブレーキペダルの踏み分け操作に支障を来たすことがあり、その対策として靴の形状に関して種々の提案がなされている。
【０００３】
例えば、特開平８−２９９０１９号公報の発明は、靴のヒールの後端縁が床面につかえて、操作の迅速性が阻害される、という課題に対して、靴やサンダルのヒールの後部を４５〜６０°程度の角度で傾斜させて、ヒールの後面を傾斜面とし、ヒールのこの傾斜面と底面との間に稜を現出させた構成である。これにより運転者が足首を上向きにすると、靴の稜が運転室の床面Ｆに接すると共に、運転者自身の踵が床面に近くなるので、足の姿勢が安定し、アクセルペダル等の操作を正確、且つ確実に行うことが出来るようになり、アクセルペダルからブレーキペタルへの足の踏み換えも迅速に行えるものである。
【先行技術文献】
【特許文献】
【０００４】
【特許文献１】特開平８−２９９０１９号
【考案の概要】
【考案が解決しようとする課題】
【０００５】
しかしながら前記特許文献１に記載の自動車運転用靴も含めて靴は、一般的に靴底が足の甲を覆う本体よりも外側に張り出しており、アクセルペダルとブレーキペダルの踏み分け操作を行う際に、靴の張り出し部分がペダルに引っかかって危険である。
【０００６】
本考案は上記課題を解決するもので、靴底は、親指側の側部が足の甲を覆う本体よりも内側に位置し、アクセルペダルとブレーキペダルの踏み分け操作が迅速に行える自動車運転用靴を提供するものである。
【課題を解決するための手段】
【０００７】
請求項１に記載の考案は、靴底の上面に足の甲を覆う本体を接合した構造を有する自動車運転用靴において、前記靴底は、前部から踵までの間の親指側の側部において、親指から所定長さが本体よりも内側に位置し、下部に向かって内側に傾斜する傾斜面が形成されていることを特徴とする自動車運転用靴である。
【考案の効果】
【０００８】
本考案において、靴底は、親指側の側部が足の甲を覆う本体よりも内側に位置し、アクセルペダルとブレーキペダルの踏み分け操作が迅速に行えるものである。
【図面の簡単な説明】
【０００９】
【図１】本考案の実施例１に係る自動車運転用靴の下側から見た斜視図である。
【図２】図１の正面図である。
【図３】図１の側面図である。
【考案を実施するための形態】
【００１０】
以下、図面に基づいて本考案の実施の形態を説明する。
【実施例１】
【００１１】
図１は、本考案の実施例１に係る自動車運転用靴の下側から見た斜視図、図２は、図１の正面図、図３は、図１の側面図である。
【００１２】
図１〜３において、自動車運転用靴１は、革靴が好適であるが、合成ゴムや合成樹脂の靴でもよい。実施例１における自動車運転用靴１は、右足用であって、ドライバーの右足首から先を収容する構造となっており、足部を挿入する開口２が形成された本体３と、本体３の裏面側に接合される靴底４を備えた構成である。
【００１３】
本体３は、靴底４の上面に接合されて右足の甲側を覆う部分であり、爪先側甲部５、左右の側面甲部６、踵側甲部７、上縁部８、飾り帯９などのパーツを一体化して形成されている。
【００１４】
靴底４は、前方側に爪先部４ａが設けられ、後方側に踵４ｂが設けられている。この爪先部４ａ及び踵４ｂは、靴底４に接着されていても良いし、靴底４と一体形成されていても良い。また、靴底４には、履き心地を良くするために、その上部内側に足裏と接触する中敷４ｃが設けられているが、中敷４ｃを省略して靴底４が直接足裏と接触するようにしても良い。
【００１５】
自動車運転用靴１は、靴底４が、前部から踵までの間の親指側の側部１０において、親指から所定長さが本体３よりも内側に位置し、下方に向かって内側に傾斜する傾斜面１０ａが形成されている。したがって、靴底４は、小指側の側部が本体３よりも外側に張り出しているが、親指側の側部１０において、傾斜面１０ａの部分が本体３よりも内側に位置し、本体３よりも外側に張り出す部分が無い。
【００１６】
このように、本考案の自動車運転用靴１は、靴底４が、前部から踵までの間の親指側の側部１０において、本体３よりも外側に張り出す部分が無いので、アクセルペダルからブレーキペダルに踏み換える際に、自動車運転用靴１が、ペダルに引っかかることがない。また、靴底４が、前部から踵までの間の親指側の側部１０において、下部に向かって内側に傾斜する傾斜面１０ａを形成したので、自動車運転用靴１は、ペダルを踏み換える際に、傾斜面１０ａの部分がペダルに接しても、滑らかに自動車運転用靴１を移動させるので、アクセルペダルとブレーキペダルの踏み分け操作が迅速に行えるものである。
【符号の説明】
【００１７】
１  自動車運転用靴
２  開口
３  本体
４  靴底
４ａ  爪先部
４ｂ  踵
４ｃ  中敷
５爪先側甲部
６  側面甲部
７  踵側甲部
８  上縁部
９  飾り帯
１０  親指側の側部
１０ａ  傾斜面
【図１】
0003156490.tif 000003
【図２】
0003156490.tif 000004
【図３】
0003156490.tif 000005
(57)【要約】      （修正有）【課題】靴下にプリントした薬効混合粉末で患部及びその周辺を、着脱自在に覆うことができる水虫解消ソックスを提供する。【解決手段】ドラバイトと竹炭を７対３の割合で配合した混合粉末を、水虫の患部及びその周辺部位にフィットするように、靴下の爪先から足指の付け根後位の周囲に相当する部位に直接プリントして、水虫解消のための靴下を構成する。【選択図】図３
0003156481.tif 000002
【実用新案登録請求の範囲】
【請求項１】
７対３の割合で配合したドラバイトと竹炭の混合粉末を、水虫の患部の部位にフィットするよう靴下に直接プリントして使用する水虫解消ソックス
【考案の詳細な説明】
【技術分野】
【０００１】  本考案は、ドラバイトと竹炭を７対３の割合で配合した混合粉末を、水虫の患部及びその周辺部位にフィットするよう靴下に直接プリントして使用する水虫解消のための靴下に関するものである。
【背景技術】
【０００２】  水虫を解消するものとしては多くの実用品があるが、他人に与える不快感をも考慮した、より効果的かつ機能的な製品が待たれている。
【先行技術文献】
【特許文献】
【０００３】
【特許文献１】
【考案の概要】
【考案が解決しようとする課題】
【０００４】  従来の水虫解消のための塗り薬は直接肌に作用し、患部は露出したままで、他人に与える不快感があった。
【課題を解決するための手段】
【０００５】  本考案は、靴下の爪先から足指の付け根後位の周囲に当該混合粉末をプリントし、患部を包むようにして使用する。
【考案の効果】
【０００６】  本考案は、靴下にプリントした混合粉末で患部及びその周辺を覆うため、肌への負担がなく脱着自在である。又他人への不快感も払拭でき、当該粉末の性質上繰り返し使用できる。
【図面の簡単な説明】
【０００７】
【図１】  本考案の水虫解消靴下の本体である。
【図２】  本考案の足裏面の図である。
【図３】  本考案を適用する場合の実施例を示す概要図である。
【考案を実施するための形態】
【０００８】  靴下の足の爪先から付け根の後部までの部位に当該混合粉末をプリントして、患部を包むようにして使用する。したがって、脱着自在である。
【実施例】
【０００９】  以下、添付図面に従って実施例を説明する。図１は１の靴下に２の当該混合粉末をプリントした水虫解消靴下本体である。【００１０】  図２は図１の足裏の部分である。【００１１】  図３は足に水虫解消靴下本体を取り付けた実施例の概要図である。【００１２】  本考案の実施例は上述のとおりであるから、脱着自在であり、他人への不快感も払拭できる。
【符号の説明】
【００１３】  １    靴下
２    プリントした混合粉末部分
【図１】
0003156481.tif 000003
【図２】
0003156481.tif 000004
【図３】
0003156481.tif 000005
(57)【要約】      （修正有）【課題】作業帽のデザインを変えることなく、ペンのサイズ形状に左右されずに、スムーズに脱着、使用可能な作業帽ペンライトバンドを提供する。【解決手段】作業帽側頭部に伸縮性のあるゴムを縦型帯状にたるみを持たせ配し、ペンまたはペン状のライト、それに類する物を固定する構成である。【選択図】図３
0003156441.tif 000002
【実用新案登録請求の範囲】
【請求項１】
作業帽側頭部に伸縮性のあるゴムを縦型帯状にたるみを持たせ配し、ペンまたはペン状のライト、それに類する物を固定する構成の作業帽ペンライトバンド。
【考案の詳細な説明】
【技術分野】
【０００１】本考案は作業帽をかぶった際にペンやライトそれに類する物を簡易的に固定するゴムバンドに関するものである
【背景技術】
【０００２】ペンを身につけながら収納もしくは簡易的に掛けておくものは、作業服の腕の部分や胸の部分に取り付けられたポケットが実用されている。
さらに大工などに代表される手仕事をする人は、かがんだ姿勢でペンを素早く手に取る為に耳などに掛けて作業し、危険の伴う高所作業ではヘルメットにクリップなどを取付け、より目線に近い位置ペンを置き、目線を切らずに作業をする工夫がなされてきた。
暗所での作業時にはヘルメット帽子脱着縫い関わらず、頭部全体にゴムバンドで固定するヘッドライトが実用されている。作業帽に限定すれば帽子のサイドに小型ヘッドライトを固定する構成が実用されている。【０００３】作業帽には布でできた輪が左右の側頭部に取り付けられており、これを使用し作業帽着衣時にも作業効率を落とさずに作業することができる。【０００４】しかし布であるため伸び縮など可動範囲が狭く、収納できるもの（ペンのサイズ）は限られ実際は作業帽のデザインの一部として存在し、実用されていないのが現実である。
また作業帽のサイドに小型ヘッドライトを固定する構成は用途が限定されており幅広い汎用性に乏しい。
【先行技術文献】
【特許文献】
【０００５】
【特許文献１】特許公開２００７−３１３６５３
【特許文献２】登録実用新案第３１０４８２５
【考案の概要】
【考案が解決しようとする課題】
【０００６】いままで作業帽の側頭部に取り付けられていた布の輪ではペンのサイズ、形状に左右されスムーズな脱着及び使用ができなかった。さらにペン型のライトを固定するのは不可能であった。【０００７】既存の小型ヘッドライトの固定器具は用途が限定されており、ペンやその他の物を固定する物でなく日常的に使用するには大掛かりな機構になっている。
【課題を解決するための手段】
【０００８】本考案は作業帽の側頭部に縦向き帯状のゴムを半径４０ｍｍのたるみを持たせ配する構成
【考案の効果】
【０００９】本考案は既存の布でできた縦向き帯状の輪をゴムに変えることによってペンのサイズ形状に左右されず、スムーズに脱着、使用可能になる【００１０】ペン型ライト使用時にも大掛かりかつ専門的な機構を必要とせず、あくまでも作業帽として使用が可能になった、また見た目にもシンプルで作業時以外でも違和感なく使用することができる。
【図面の簡単な説明】
【００１１】
【図１】従来型の布製縦向き帯状に配された作業帽
【図２】本考案のゴム製縦向き帯状バンド（ペン、ライトバンド）付作業帽
【図３】本考案実施例（ペン）
【図４】本考案実施例（ペン型ライト）
【考案を実施するための形態】
【００１２】１．    作業帽に請求項１のゴム製縦向き帯状バンドを取り付ける
２．    作業帽をかぶり請求項１の輪にペン、ペン型ライトを入れ固定する
【符号の説明】
【００１３】１．  従来型作業帽
２．  布製縦向き帯状輪（従来品）
３．  請求項１（ペン、ライトバンド）付作業帽
４．  ゴム製立て向き帯状輪（請求項１）
５．  ペン
６．  ペン型ライト
【図１】
0003156441.tif 000003
【図２】
0003156441.tif 000004
【図３】
0003156441.tif 000005
【図４】
0003156441.tif 000006
(57)【要約】      （修正有）【課題】板状の耐熱ガラスの片面に、半導体発熱素子塗料を面状に塗布した熱源を使用し、安全性が高く、温度ムラや断線の恐れがない天焼器を提供する。【解決手段】耐熱ガラス６の片面に電気で発熱する半導体発熱素子塗料５を塗布し、塗布していないもう一方のガラス面に鉄板７を貼りつけて鉄板焼き器を構成し、該鉄板焼き器をさらに上下に配置することで、天焼き器とする。【選択図】図２
0003156445.tif 000002
【実用新案登録請求の範囲】
【請求項１】
耐熱ガラス（６）の片面に半導体発熱素子塗料（５）を塗布し、塗布していないガラス面を鉄板（７）に貼り付けた、鉄板焼き器。
【請求項２】
請求項１の物を上下に取り付けた両面焼き器、即ち天焼き器。
【請求項３】
請求項２の上下に蓋を開閉すること時、調理面を囲い込むように上下の鉄板をＵ字型で絞り込む形状にしたことを特徴とする天焼き器。
【考案の詳細な説明】
【技術分野】
【０００１】  この考案は、調理用天焼き器の熱源と形状に関する。
【背景技術】
【０００２】  従来の天焼き器の熱源は、プロパンガスやニクロム線によるものであった。
【考案の開示】
【考案が解決しようとする課題】
【０００３】  しかしながら以上の技術では、プロパンガスの場合には点火や消火の手間、ガス爆発等の危険が生じ、ニクロム線の場合には、線状発熱による温度ムラや断線などの不備が生じる。そこで、この考案は板状の耐熱ガラスに半導体発熱素子塗料を面状に塗布することによって解決する。
【課題を解決するための手段】
【０００４】  以上の課題を解決するために、第一考案は電気で発熱する耐熱ガラスにより上下の鉄板を加熱することを特徴とする天焼き器である。
第二考案は、この発熱体に半導体発熱素子塗料を用いたことを特徴とする天焼き器である。
第三の考案は、開閉により調理器を囲い込むように上下の鉄板をＵ字型で絞り込む形状にしたことを特徴とする天焼き器である。
【考案の効果】
【０００５】  第一考案、または第二考案によれば、石油類による危険物取扱の排除、二酸化炭素の排出削減が図られ、ニクロム線の断線も排除される。
さらに、第三考案によれば、上下鉄板を開閉により三方および四方を囲むことにより、焼く、蒸す、炒めるという調理方法が可能となり、調理範囲を広げることができる。
【考案を実施するための最良の形態】
【０００６】この考案の一実施形態を、図１に示す。
この電気式天焼き器は、上下の調理面ともに鉄製であり、鉄製調理面の裏側に電気で発熱する半導体発熱素子塗料を塗布した耐熱ガラスを密着させたものである。
【図面の簡単な説明】
【０００７】
【図１】全体図面
【図２】上下調理面を合わせた時の断面図
【符号の説明】
【０００８】  １    耐熱ガラスの収納場所
２    スプリング
３    天焼き器本体
４    電源１００Ｖ
５    上面半導体発熱塗料
６    上面耐熱ガラス
７    上面調理面・鉄
８    上面密着
９    下面密着
１０  下面耐熱ガラス
１１  下面半導体発熱塗料
１２  下面調理面・鉄
【図１】
0003156445.tif 000003
【図２】
0003156445.tif 000004
【手続補正書】
【提出日】平成21年10月5日(2009.10.5)
【手続補正１】
【補正対象書類名】実用新案登録請求の範囲
【補正対象項目名】全文
【補正方法】変更
【補正の内容】
【実用新案登録請求の範囲】
【請求項１】
耐熱ガラス（６）の片面に半導体発熱素子塗料（５）を塗布し、塗布していないガラス面を鉄板（７）に貼り付けた、鉄板焼き器。
【請求項２】
請求項１に記載の鉄板焼き器を上下に取り付けた両面焼き器、即ち天焼き器。
【請求項３】
調理面を囲い込むように上下の鉄板をＵ字型で絞り込む形状にしたことを特徴とする請求項２に記載の天焼き器。
(57)【要約】      （修正有）【課題】用便の際、長い上着や女性がスカ−トを着用している場合、裾を上に捲り、手を放しても、ずり落ちない洋式トイレを提供する。【解決手段】洋式トイレの蓋２の裏に、衣服の裾を掛ける舌状の板１を取りつけ、ここに裾を引っ掛けて持ち上げる事で衣服の裾をお尻の下に敷き込まない様に構成する。【選択図】図１
0003156450.tif 000002
【実用新案登録請求の範囲】
【請求項１】
洋式トイレの、蓋の裏に衣服の裾掛けを取り付ける。
【考案の詳細な説明】
【考案の詳細な説明】
この考案は、洋式トイレを使用する時、長い上着や女性のスカ−トの裾をお尻の下に敷き込まない様にするため、便器の蓋の裏に、裾を掛ける舌状の板を取り付け、裾を持ち上げてもらう様に掛けるものである。
【図面の簡単な説明】
【図１】本考案の斜視図である
【符号の説明】１、が本考案の裾掛け    ２、は蓋    ３、は便座
【図１】
0003156450.tif 000003
【手続補正書】
【提出日】平成21年10月2日(2009.10.2)
【手続補正１】
【補正対象書類名】実用新案登録請求の範囲
【補正対象項目名】全文
【補正方法】変更
【補正の内容】
【実用新案登録請求の範囲】
【請求項１】
洋式トイレにおいて、蓋の裏に衣服の裾掛けを取リ付けたことを特徴とする洋式トイレ。
(57)【要約】      （修正有）【課題】収納書類の抜け落ちを防止する構造を持つクリアフォルダーを提供する。【解決手段】本クリアフォルダーは、逆Ｌ字型開口部の表面シートにその長い方の辺に２つの切り込みを入れることによって作った凸部と、逆Ｌ字型開口部の裏面シートにその凸部を差込むに対応した切り抜き穴を持ち、表面シートの凸部を裏面シートの切り抜き穴に差し込むことにより逆Ｌ字型開口部の長い方の辺を閉じ書類の抜け落ちを防止するものである。【選択図】図１
0003156449.tif 000002
【実用新案登録請求の範囲】
【請求項１】
軟質で4隅が直角の４角形フィルムシートを向かい合う辺の中点を結ぶ線で折り曲げ、折り曲げ部に隣接する２辺の内の１辺についてその一部又は全体を溶着した形のクリアフォルダーで、Ｌ字型閉口部分の内のフィルムシートを折り曲げてできた閉口部に向かい合う開口部の表面シートに３角形の切欠を２箇所作成することにより凸状の差込部を設け、対面する裏面シートに表面シートに設けた凸状部を差し込むことができる切り抜き穴部を設けたクリアフォルダー
【考案の詳細な説明】
【技術分野】
【０００１】
本考案は軟質のクリアフォルダーに関するものである。
【背景技術】
【０００２】
通常長方形のＬ字型閉口部とそれに向き合う逆Ｌ字型開口部から出来ている軟質のクリアフォルダーは、少量の書類をきれいに保存しておいたり区分して持ち運ぶのに便利なもので現在大量に消費されている
【先行技術文献】
【特許文献】
【０００３】
実願２００８−５７４
【考案の概要】
【考案が解決しようとする課題】
【０００４】
しかし、従来からのクリアフォルダーは開口部から簡単に書類が抜け落ちてしまうために持ち運びするときに書類を落としてしまうことがたびたびある
【０００５】
本考案の課題はこのような収納書類の抜け落ちを防止する構造を持つクリアフォルダーを提供することである
【課題を解決するための手段】
【０００６】
図1及び図２は考案した抜け落ち防止機能つきクリアフォルダーの１例を示す図です
【０００７】
図1の３は軟質で4隅が直角の４角形フィルムシートを向かい合う辺の中点を結ぶ線で折り曲げた部分であり、４は折り曲げ部に隣接する２辺の内の１辺について溶着した部分である
【０００８】
このクリアフォルダーの３・４の辺に向かい合うそれぞれの辺は開口しており１の表面シート部分と２の裏面シート部分の間に書類を収納するものである
【０００９】
１の表面シート部の３に向かい合う辺に３角形の切欠を２箇所７・８設けることにより、５の凸部を作る
【００１０】
２の裏面シート部に５の凸部を差し込むことが出来る位置に切り抜き穴６を設ける
【考案の効果】
【００１１】
１・２のシート部の間に書類を挟みこみ収納した後、図４及び図５に示すように５の凸部を６の切り抜き穴に差し込むことで１・２シートとその間に挟みこんだ書類が密着し、さらに書類の抜け落ちの方向が４と向かい合う開口部方向に限られてしまうので書類抜け落ち防止に効果がある
【考案を実施するための最良の形態】
【００１２】
図1の５の位置は１の表面シート部の凸部を設ける辺の中央よりやや上すなわち３角形の切欠部８が中央になる位置とする
【００１３】
図1の３角形の切欠部７・８は同形の２等辺三角形で切り込みの深さは４の辺に対して4％とする
【００１４】
図１の５の凸部台形上辺の長さは凸部を設けるシートの辺の長さの8％とする。
【００１５】
図1の６の切り抜き穴の形状は長方形で縦の長さは５の凸部台形の底辺より1ｍｍ長く、幅は3ｍｍとする
【００１６】
考案を実施するための最良の形態で述べた形状は、クリアフォルダーに書類を挟み込んだ後、５の凸部を６の切り抜き穴に差し込むときに親指で１のシートの５の凸部あたりを押さえ人差し指と中指で２のシートの６の切り抜き穴付近を押さえ指で挟む形でクリアフォルダーを持ち１のシートのみを少し後ろにずらしてから５の凸部を６の切り抜き穴な差し込むようにすると片手で簡単にクリアフォルダーの綴じ込みが出来るよう考えられたものである
【産業上の利用可能性】
【００１７】
従来のクリアフォルダ−とほとんど形状が変わらないシート状構造であり、製造コストも従来ものとほとんど差が無いと思われる。
【００１８】
書類が抜け落ちにくいと言う利便性があるために使用する人にとって大きな安心感がもてるので需要は多いと思われる。
【図面の簡単な説明】
【００１９】
【図１】クリアフォルダーを開放した状態の斜視図である。
【図２】クリアフォルダーを開放した状態で表側から見た正面図である。
【図３】クリアフォルダーを開放した状態で裏側から見た正面図である。
【図４】クリアフォルダーを閉じた状態で表側から見た正面図である。
【図５】図４のＡ部分の拡大図である。
【符号の説明】
【００２０】
１    軟質で4隅が直角の４角形フィルムシートを向かい合う辺の中点を結ぶ線で２つ折にした時に出来る上側の表面シート
２    軟質で4隅が直角の４角形フィルムシートを向かい合う辺の中点を結ぶ線で２つ折にした時に出来る下側の裏面シート
３   軟質で4隅が直角の４角形フィルムシートを向かい合う辺の中点を結ぶ線で２つ折にした時の折れ線部分
４    ３の折れ線部分に隣接する２辺の内の１辺について溶着した部分
５    差込部
６    差込部受け部の切り抜き穴
７    差込部を作るための切欠
８    差込部を作るための切欠
【図１】
0003156449.tif 000003
【図２】
0003156449.tif 000004
【図３】
0003156449.tif 000005
【図４】
0003156449.tif 000006
【図５】
0003156449.tif 000007
(57)【要約】      （修正有）【課題】痴漢事件時に、手袋着用者の無実を証明できる痴漢冤罪防止手袋を提供する。【解決手段】手袋１の背面部に、ハードカバー３を背面部全体を覆うようにとりつけ、手袋１の開口部とアームカバー２の狭口部を接続して長袖になるようにした。さらに手袋１の内面６箇所に、マジックテープ（登録商標）４をとりつけ、そこに被害者の衣類の繊維片や皮脂の一部が付着するようにした。【選択図】図１
0003156446.tif 000002
【実用新案登録請求の範囲】
【請求項１】
（イ）手袋背面部に背面部全体を覆うハードカバーをとりつける。
（ロ）手袋開口部とアームカバー狭口部を接続する。
（ハ）手袋内面の五本指先端部と拇指丘部にマジックテープを貼りつける。
以上のごとく構成された痴漢冤罪防止手袋。
【考案の詳細な説明】
【技術分野】
【０００１】この考案は、手袋の背面部にハードカバーを、内面部にマジックテープを、開口部にアームカバーを、それぞれ取り付けた痴漢冤罪防止用品に関するものである。
【背景技術】
【０００２】従来より手袋は手指を化学薬品や熱、刃物、衝撃、等から守ることを第一に利用されてきた。
【考案の概要】
【考案が解決しようとする課題】
【０００３】従来の手袋を痴漢冤罪事件の防護用品に利用しようとする時、問題点が三つほどあった。  （１）手の表面は覆われているものの手関節を含め手指の動きが殆ど制限されていない。  （２）普通サイズの手袋の場合、着脱が容易なので痴漢行為が生じた時点で本人が手袋を履いていたか否かの判断が難しい。  （３）被害者の体に直接触れる部位である手袋内側、特に指先端部に行為の痕跡が残るような方策が施されていない。
【課題を解決するための手段】
【０００４】    手袋背面に合成樹脂や天然材料で作ったハードカバーを取り付けて手指の外側への動きを制限し、手袋内面には五本指の先端部と拇指丘部にマジックテープを貼り付けて痴漢行為があった時、被害者の衣類の繊維片や皮脂の一部が付着するようにし、更にマジックテープ貼付部に芳香剤や香水を吸収させておき手袋が触れた時、被害者の体に匂いが残るような方策も施した。  それと手袋の着脱が容易にできないように、手袋開口部とアームカバー狭口部を接続して長袖になるようにした。
【考案の効果】
【０００５】    痴漢事件において誤認逮捕や冤罪が生まれる最大の要因は事件が満員電車や雑踏の中で瞬間的に行われるので証拠や目撃者が残りにくく容疑をかけられた人物の無実の証明が極めて難しいところにあると考えられる。
そのような時、本考案である痴漢冤罪防止手袋を着用していれば、よく目立つハードカバーによって手の位置が周囲から確認されるし、万が一被害者に触っていれば被害者の繊維片や皮脂の一部が手袋のマジックテープに付着していたり逆にマジックテープに吸収されている芳香液が被害者の衣服に付着したりして行為の有無の判別が容易になると考えられる。    すなわち本考案を着用することによって痴漢事件時、真犯人が捕らなくても自身の無実の証明は充分可能になるということである。
【図面の簡単な説明】
【０００６】
【図１】  本考案の内面図である。
【図２】  本考案の外面図である。
【考案を実施するための形態】
【０００７】    本考案は背面部にハードカバーが付いた手袋部分と、それに付随したアームカバーの部分で構成されているが、基本的にはアームカバーを腕の付け根付近まで引き上げて着用する。
【符号の説明】
【０００８】      １  手袋
２  アームカバー
３  ハードカバー
４  マジックテープ
【図１】
0003156446.tif 000003
【図２】
0003156446.tif 000004
【手続補正書】
【提出日】平成21年10月2日(2009.10.2)
【手続補正１】
【補正対象書類名】実用新案登録請求の範囲
【補正対象項目名】全文
【補正方法】変更
【補正の内容】
【実用新案登録請求の範囲】
【請求項１】
（イ）手袋背面部に背面部全体を覆うハードカバーをとりつける。
（ロ）手袋開口部とアームカバー狭口部を接続する。
（ハ）手袋内面の五本指先端部と拇指丘部に「マジックテープ（登録商標）」を貼りつける。
以上のごとく構成された痴漢冤罪防止手袋。
(57)【要約】      （修正有）【課題】安全面・機能面・デザイン面での格段の向上・多様化を可能とした中・小動物の治療台を提供する。【解決手段】天板とスカート部分を完全分離し、スカート部分をパーツ化する。【選択図】図１
0003156447.tif 000002
【実用新案登録請求の範囲】
【請求項１】
中・小動物治療台において、天板とスカート部分を分離し、スカート部分をパーツ化した中・小動物治療台
【考案の詳細な説明】
【技術分野】
【０００１】  本考案は、荷重変換機の基盤をコンパクトにして天板のみに収納し、スカート部分共々薄く軽量化してそれら双方を分離・パーツ化する事により安全面・機能面・デザイン面での格段の向上・多様化を可能とした中・小動物の治療台に関するものである。
【背景技術】
【０００２】  従来の物は天板・スカート部分は一体不可分であり、厚く重い上に身長への対応は昇降台の通常の上下のストローク量に限られている。又、スカート部分は単なる荷重変換機を収納する為のスペースとして使われており、既定の形態のみでの使用で、オプション等は備えていない。
【考案の概要】
【考案が解決しようとする課題】
【０００３】  従来利用の物は荷重変換機を収納する為、天板・スカート部分を一体化しているので、両部分は厚い上に重くなり安全性・使用感に問題ありと言わざるを得ない。又、スカート部分は天板と切り離せない為、獣医師の身長に合わせ選択・調整する事は出来ないし、他の使用目的にそのスペースを利用する事も出来ない為、カルテなど、診察・治療の際に使うものは別個の台などを利用しなければならないなど、診察室の機能としては不都合である。本考案は、スカート部分に貼る版も選択可能にして、従来ワンパターンでしか対応出来なかった診察室内のデザイン・色調も多様化出来ることと併せ、前述の問題点を解決しようとするものである。
【課題を解決するための手段】
【０００４】  本考案は、荷重変換機の基盤をコンパクトにして天板の中に収納出来るようにし、天板・スカート部分を薄く軽量化し、更に天板とスカート部分とを完全に分離する。それによりスカート部分は荷重変換機の収納という必要が全くなくなるので、一つのパーツとして、使用者としての獣医師の身長・趣向等により使用不使用の選択が出来るようになる。又、そのパーツ化により、スカート部分のスペースを有効利用出来る。カルテなどの収納スペースとして、又、カラーバリエーションを楽しむ等従来からの問題点が解決出来る。
【考案の効果】
【０００５】  上述の様に、本考案の、天板・スカート部分を薄く軽量化する事により、移動を容易にし使用感・安全性を向上する一方、天板・スカート部分を完全分離する事によりスカート部分を使用するか否か、又同部分を機能面及びデザイン面でどの様に使用するか、使用者である獣医師が選択することが可能となり、従来のお仕着せの状態から、現場の状況・個々の趣向により多様に応用且つ選択する事が可能となる。即ち、スカート部分の使用不使用・種類の選択等により、獣医師の身長差等、個々の状況により柔軟に対応出来る。又、同部分を「カルテ入れ」等診察室での状況に応じて多様に使用出来るし、パーツとしてステンレス版や透明版その他カラー版等を貼る事により、デザイン・色調での個々の好みを具現化出来ると考えられる。
【考案を実施するための形態】
【０００６】荷重変換機を天板の中に完全に収納し、天板とスカート部分を分離する。その上でスカート部分をパーツ化し、その使用形態を様々なバリエーションの中で選択出来るようにする。
【図面の簡単な説明】
【０００７】
【図１】本考案の中・小動物治療台の使用時の一形状を示す斜視図である。
【図２】本考案の中・小動物治療台の使用時の一形状を示す斜視図である。
【符号の説明】
【０００８】１  天板
２  スカート
３  昇降台
４  荷重変換機
５  貼付版
0003156447.tif 000003
【手続補正書】
【提出日】平成21年10月2日(2009.10.2)
【手続補正１】
【補正対象書類名】図面
【補正対象項目名】全図
【補正方法】変更
【補正の内容】
【図１】
0003156447.tif 000004
【図２】
0003156447.tif 000005
(57)【要約】      （修正有）【課題】既設の空冷式エアコン室外機に対して、後加工により設置することができ、排熱エネルギーを有効エネルギーに変換し、利用できるエネルギー回収装置を提供する。【解決手段】空冷式エアコンの室外機の排熱部に水回路を施す。【選択図】図２
0003156442.tif 000002
【実用新案登録請求の範囲】
【請求項１】
パッケージエアコンの室内機及び空冷式室外機からなるエアコンデショナーにおいて、熱サイクルの排熱部に水回路を施した事により外気に排出していた排熱を回収し利用可能な形に改善したエネルギー回収装置。
【考案の詳細な説明】
【技術分野】
【０００１】本考案は、エアコン室外機の空冷式から水冷式への変換方法に関する。
【背景技術】
【０００２】一般に使われているエアーコンデショナーの室外機における冷却方法は空冷式が標準的である。機器の運転により回収した排熱はそのまま外気に熱拡散している。
【考案の概要】
【考案が解決しようとする課題】
【０００３】しかしその排熱を熱交換器を介して水に回収する事になれば、回収された排熱は他の目的に利用可能となる。
【課題を解決するための手段】
【０００４】そこで複数個の室外機から熱交換器を介して水に回収された排熱を、多段重ね合わせて熱回収されたエネルギーを水の温度上昇という形に変化させ、その熱の有効利用を図るようにすれば地球環境に優しい技術に変身する。
【考案を実施するための形態】
【０００５】図１に示すように熱サイクルの過程において▲１▼高温側熱交換コイル及び▲３▼低温側熱交換コイルを持つ室外機において冷媒として熱交換する部位に空気の回路から水を流す回路にと切替える事により原理的に可能となる。
【０００６】熱の流れは全く変えずに、外気中に拡散されていた排熱エネルギーが水により排熱を回収し、且排熱エネルギーが別の形態に生まれ変わる事により利用可能な姿となる。
【０００７】図２の▲１▼において、回収された高温の冷媒はモータ及びファンにより外気中にその熱を放出される。これにより高温の冷媒は温度を下げられ再び室内機側に戻される。
【０００８】図２の▲２▼において、放熱用冷媒部分は熱交換器に替えられ、熱交換器内部では高温の冷媒と水との間で熱交換が行われる。その時ファンモータ用モータは水循環用ポンプの動力源としてそのままに、新たに水循環用ポンプを水配管部に新設する。
【０００９】この時、熱交換器と水用ポンプの増設のみで、既存のファンモータ用モータが利用でき空冷式システムが、非常に安価に水冷式システムに変換できる。
【００１０】上記のような回路構成を施す事により、利用可能な地球環境に優しいエネルギーサイクルに変身する。
【考案の効果】
【００１１】本考案に係るエアコン室外機の、空冷式から水冷式への変換方法は、原理的に可能で、且既存の設備に対して後加工が可能である事から、既に設置されている多数の空冷式室外機に対して実施可能となる。
【図面の簡単な説明】
【００１２】
【図１】本考案に係る熱サイクル回路構成である。
【図２】本考案に係る具体的実施例である。▲１▼既存の空冷式システム図である。▲２▼本実用新案における実施形態である。
【図３】本実用新案における実際の水冷式エアコン群の設置形態である。
【符号の説明】
【００１３】  １・・・高温側熱交換コイル
２・・・膨張弁
３・・・低温側熱交換コイル
４・・・圧縮機
５・・・空調用冷媒ユニット
６・・・ファン
７・・・モータ
８・・・熱交換器
９・・・水循環ポンプ
１０・・・室内ユニット
１１・・・室外ユニット
１２・・・冷媒配管
１３・・・水配管
【図１】
0003156442.tif 000003
【図２】
0003156442.tif 000004
【図３】
0003156442.tif 000005
【手続補正書】
【提出日】平成21年10月2日(2009.10.2)
【手続補正１】
【補正対象書類名】実用新案登録請求の範囲
【補正対象項目名】全文
【補正方法】変更
【補正の内容】
【実用新案登録請求の範囲】
【請求項１】
パッケージエアコンの室内機及び室外機からなるエアコンデショナーにおいて、室外機の排熱部に水回路を施した事により外気に排出していた排熱を回収し利用可能な形に改善したエネルギー回収装置。
(57)【要約】      （修正有）【課題】従来の切り裂き方法では表裏のフィルムが重なった状態でカットされるので再開封の折、指に引っ掛かり難く開くきっかけがつけづらかった。チャック式開閉可能な収納袋の再開封するときに指が引っ掛かり易い袋を提供する。【解決手段】表裏位相の反転した蛇行曲線を与えることにより指の掛かりが改善され再開封が極めて容易になる。【選択図】図１
0003156459.tif 000002
【実用新案登録請求の範囲】
【請求項１】
チャック式の繰り返し開閉の出来る袋において最初の開封時に蛇行する表裏逆位相のミシン目を有する袋。
【請求項２】
切り口導入部においてはミシン目の表裏を一致させることを特徴とする請求項１記載の袋。
【考案の詳細な説明】
【技術分野】
【０００１】  本考案はチャック式開閉可能な収納袋の最初の開封に関する考案である。
【背景技術】
【０００２】  現在までに様々な易開封性をめざした技術が存在するが再開封の折に開け口の摘み部に指が掛かり難く実用性に乏しかった。
【先行技術文献】
【特許文献】
【０００３】  ＩＰＤＬに依る検索の結果、当考案と類似の件を発見するも決定的な違いがあったので以下に報告をする。
【特許文献１】  特願２００４−１０３３２２〔請求項〕１から４中に切目線とあるのを本考案はミシン目に限定するものである。  又〔０００９〕では直線状切目線としている。又〔００１３〕では開封線が滑らかであるともしているので本考案のミシン目とは明らかに相違している。
【考案の概要】
【考案が解決しようとする課題】
【０００４】  従来の切り裂き方法では表裏重ねて切り取るので切り口が重畳して再開封するときに指が引っ掛かり難く、きっかけがつきずらかった。
【課題を解決しようとする手段】
【０００５】  図２に示す通り表裏位相の反転した蛇行曲線を有すミシン目に沿って切り口が出来るので以後の開閉は極めて容易になる。
【０００６】
【図面の簡単な説明】
【０００７】
【図１】本考案の全体図である。
【図２】切り取り口を切り取った後の拡大図である。
【考案を実施するための形態】
【０００８】  図１に示す通り蛇行する表裏の線に沿って微細の穴を貫通させ連続線を形成する。
【実施例】
【０００９】  実施例〔００１１〕に関連して導入部以外の穴は表裏それぞれ別々である。【００１０】  ミシン目のピッチは細かいほど開封性は良好になる。【００１１】  図１の４の切り込み部に関しては穴あけは表裏貫通させる。【００１２】  図１では交錯部は１箇所であるが交錯部の数は任意で構わない。
【産業上の利用可能性】
【００１３】  こうした袋の利用分野は、ふりかけ、調味料等に大いに活用できる。
【符号の説明】
【００１４】  １  袋（本体）
２  チャック部
３  ミシン目（表）
３’ミシン目（裏）
４  導入部（切り込み部）
５  交錯部
【図１】
0003156459.tif 000003
【図２】
0003156459.tif 000004